(57)【要約】      （修正有）【課題】一定の周期で右眼映像と左眼映像を画面上に交互に表示し、視聴者が装着している液晶シャッタを備えた眼鏡を用いて、前記一定の周期に同期して右眼用液晶と左眼用液晶における透過と不透過を交互に行い、視聴者に立体視を行わせる立体映像表示システムにおいて、この液晶シャッタの駆動させる信号の受信性能を上げる。【解決手段】液晶シャッタ眼鏡１００に送信信号制御部１０３と信号送信装置１０４を備え、他の液晶シャッタ眼鏡に１１０と同等の液晶シャッタ駆動の同期信号を第一の液晶シャッタ眼鏡から第二、第三の液晶シャッタ眼鏡に送信することにより、障害物や角度により、液晶シャッタ駆動の信号を受信し難い眼鏡に対して、液晶シャッタ駆動を行わせることが可能となるので、全体的に液晶シャッタ眼鏡の受信範囲を拡大することが可能となる。【選択図】図１
2013168693.tif 000002
【特許請求の範囲】
【請求項１】
左右眼映像の切り替わりを示す信号に基づいて生成された空間伝送信号を受信する受信部と、
受信した空間伝送信号を基に同様の空間伝送信号を生成し送信する手段と、
受信した空間伝送信号から液晶シャッタ眼鏡におけるシャッタのタイミングに関するデータを取得する手段と、
前記に取得したシャッタタイミングに関するデータを用いて液晶シャッタ眼鏡のシャッタを動作させる手段とを備えたことを特徴とする液晶シャッタ眼鏡の駆動装置。
【請求項２】
請求項１に記載の液晶シャッタ眼鏡の駆動装置において、
受信した空間伝送信号から液晶シャッタ眼鏡におけるシャッタのタイミングに関するデータを取得する手段と、
前記取得したシャッタタイミングに関するデータを保持する手段と、
特定条件下では保持したシャッタタイミングに関するデータを用いて液晶シャッタ眼鏡のシャッタを動作させる手段と、
を備えたことを特徴とする液晶シャッタ眼鏡の駆動装置。
【請求項３】
請求項２に記載の受信装置において、
特定条件下では空間伝送信号を生成することを止める手段と、
を備えたことを特徴とする液晶シャッタ眼鏡の駆動装置。
【請求項４】
左右眼映像の切り替わりを示す信号に基づいて生成された空間伝送信号を受信する受信部と、
受信した空間伝送信号を基に、受信した信号とは異なる空間伝送信号を生成し送信する手段と、
受信した空間伝送信号から液晶シャッタ眼鏡におけるシャッタのタイミングに関するデータを取得する手段と、
前記に取得したシャッタタイミングに関するデータを用いて液晶シャッタ眼鏡のシャッタを動作させる手段と、
を備えたことを特徴とする液晶シャッタ眼鏡の駆動装置。
【請求項５】
請求項４に記載の受信装置において、
受信した空間伝送信号の信号源を区別することが出来る手段と、
受信した空間伝送信号から液晶シャッタ眼鏡におけるシャッタのタイミングに関するデータを取得する手段と、
前記取得したシャッタタイミングに関するデータを保持する手段と、
特定条件下では保持したシャッタタイミングに関するデータを用いて液晶シャッタ眼鏡のシャッタを動作させる手段と、
を備えたことを特徴とする液晶シャッタ眼鏡の駆動装置。
【請求項６】
請求項５に記載の受信装置において、さらに、
特定条件下では空間伝送信号を生成することを止める手段と、
を備えたことを特徴とする液晶シャッタ眼鏡の駆動装置。
【発明の詳細な説明】
【技術分野】
【０００１】
本発明は立体映像再生装置による再生映像を立体映像としてみる立体映像再生システム用の液晶シャッタ眼鏡に関し、特に液晶シャッタを開閉する同期信号に関するものである。
【背景技術】
【０００２】
従来の立体映像を視聴する方法として、視聴者は特殊な眼鏡を装着し、テレビ等の立体映像表示装置によって映写される立体映像を視聴する方法がある。このような眼鏡式の視聴方法の場合、視差のある映像、例えば右眼用映像（Ｒ）と左眼用映像（Ｌ）、がフィールド(又はフレーム)ごとに交互にテレビ等の映像表示装置に出力される。視聴者は特殊な眼鏡をつけることにより右眼映像（Ｒ）は右眼に、左眼映像（Ｌ）は左眼に入るため、前記の視差により立体的に映像を視聴することが出来るような仕組みになっている。
【０００３】
特殊な眼鏡の例として、左右眼のレンズに液晶シャッタと偏光板を備えて、左右眼の液晶シャッタを交互に透過と不透過を繰り返し、右眼映像（Ｒ）と左眼映像（Ｌ）をそれぞれの目で見られるようにする技術がある。
【０００４】
また、特許文献１のようにテレビ等の立体映像表示装置側から赤外線などの空間伝送信号送信機を用いて、液晶シャッタ眼鏡に左右の映像の切り替わりを検知させる技術がある。
【先行技術文献】
【特許文献】
【０００５】
【特許文献１】特開昭６４−６７０９５公報
【発明の概要】
【発明が解決しようとする課題】
【０００６】
しかしながら、前記従来の構成では、同期を図るために一つの信号源（例えば、映像表示機器に付属されている送信装置）から液晶シャッタの切り替わり信号を、液晶シャッタ眼鏡は受信出来る必要がある。しかし複数人で視聴している場合などでは、視聴している場所によっては、信号源からの信号を受信し難い場所があり、その場合、液晶シャッタの駆動を制御する信号を受信することが出来なくなるため、同期信号を受信できない特定の視聴者は、液晶シャッタが駆動しないため視差のある右眼映像（Ｒ）と左眼映像（Ｌ）を同時に見ることになり、立体映像を視聴できない。
【０００７】
本発明は、前記従来の課題を解決するもので、液晶シャッタを駆動させる同期信号の伝達範囲を広げるため、液晶シャッタ眼鏡同士で液晶シャッタ駆動の動作を同期させる送信装置を提供することを目的とする。
【課題を解決するための手段】
【０００８】
前記従来の課題を解決するために、本発明の立体映像再生システム用液晶シャッタ眼鏡は、他の液晶シャッタ眼鏡に対しても液晶シャッタを駆動させることができる空間伝送信号送信部を有し、第一の液晶シャッタ眼鏡から、第二、第三の液晶シャッタ眼鏡に対して左右眼の液晶シャッタを駆動させる同期信号を送信する装置を備える。
【０００９】
本構成によると、複数人で立体映像を視聴しているときに障害物などにより特定の空間伝送信号送信機、例えば映像表示装置等から送信される左右眼の液晶シャッタを駆動させる同期信号を受信できない場合でも、同様の映像を見ている他の液晶シャッタ眼鏡からの同期信号を受信することが可能になり、液晶シャッタ切換信号の受信可能範囲を拡大することが可能になる。
【００１０】
また、本発明の空間伝送信号送信部は、信号源からの信号とは異なる信号、例えば送信部装置を判別するコードの追加や送信周期を変更する等の信号も同時に送ることにより、基の信号源と区別をつけることが可能である。
【００１１】
前記の２種類以上の信号を受信する際は、基の信号源の信号と他の眼鏡からの信号を区別する回路を備える。
【００１２】
本構成によると、基の信号源を判別することが出来、基の信号源を優先して液晶シャッタを駆動させ、第一の眼鏡など、他の液晶シャッタ眼鏡からの信号で液晶シャッタ駆動を行っている場合は同期信号を送信することを止めることにより、消費電力を抑えることが出来る。
【発明の効果】
【００１３】
本発明の立体映像再生システム用液晶シャッタ眼鏡によれば、第二、第三の液晶シャッタ眼鏡が特定の空間信号送信装置（例えば映像表示装置）から液晶シャッタの切り替え信号を受信できなくても、同様の液晶シャッタ切り替え信号を第一の液晶シャッタ眼鏡より受信することができるので、視聴場所による受信不具合を低減することができる。
概要範囲
【図面の簡単な説明】
【００１４】
【図１】本発明の実施例１における液晶シャッタ眼鏡の主要構成のブロック図
【図２】本発明の実施例２における液晶シャッタ眼鏡の主要構成のブロック図
【図３】本発明の実施例３における液晶シャッタ眼鏡の主要構成のブロック図
【図４】本発明の実施例３における液晶シャッタ眼鏡に自走回路を追加したときの主要構成ブロック図
【図５】遠隔制御システムの一実施時形態の図
【発明を実施するための形態】
【００１５】
以下本発明を実施するための形態について、図面を参照しながら説明する。
【実施例１】
【００１６】
図1は、本発明の立体映像再生システムにおける、液晶シャッタ眼鏡の主要構成ブロック図を示している。立体映像再生システムは、映像表示装置に設けられた送信装置１１０と、その送信装置から出力された信号に基づいて、同期処理の制御を行う液晶シャッタ眼鏡１００とにより構成されている。
【００１７】
従来の立体映像再生システムにおける液晶シャッタ眼鏡には、無線伝送信号を受信する受信部１０１と受信した信号をデコードするデコーダ部１０２とデコードした信号から液晶シャッタを制御する液晶シャッタ制御部１０５と液晶シャッタ１０６を備えている。
【００１８】
本発明は上記従来の液晶シャッタ眼鏡に新たに受信部１０１で受信した無線伝送信号を他の液晶シャッタ眼鏡に転送するために、液晶シャッタ切り替えの送信信号を生成する送信信号生成部１０３と無線信号送信部１０４を備える。
【００１９】
以上のように構成された本発明の液晶シャッタ眼鏡の動作について説明する。図５は図1に示す立体映像表示システムにおける、液晶シャッタ駆動の遠隔制御システムの一実施形態を示している。
【００２０】
図５の立体映像再生システムは液晶シャッタ眼鏡５００（上記の液晶シャッタ眼鏡１００に相当する。）と映像表示装置５０５（上記の映像表示装置に相当する。）からなる。映像表示装置５０５は右眼用の映像（Ｒ）と左眼用の映像（Ｌ）をフィールド（またはフレーム）ごとに交互に映し出し、また液晶シャッタ眼鏡５００の右眼と左眼のシャッタ切り換えタイミングを制御するフィールド（又はフレーム）切り替えのタイミング信号を送信装置５０６（上記の送信装置１１０に相当する。）の信号送信部５０７から赤外線などの無線伝送信号により送信する。ここで送られる信号は、シャッタ切り替えであることを識別する符号と、右眼と左眼を区別する符号からなるコード信号であり、このコード信号によって搬送波を変調する。
送信装置５０６によって送られた信号は、液晶シャッタ眼鏡５００の受信部５０１（上記の受信部１０１に相当する。）にて受信する。受信した信号を基に右眼用液晶シャッタ５０２と左眼用液晶シャッタ５０３（上記の液晶シャッタ部に相当する。）を駆動させる。
【００２１】
図５を見ると、液晶シャッタ眼鏡５００は特定の送信装置５０６からの信号を直接受けられるようにしなくてはならない。しかし、複数人で立体テレビを視聴するときなどは、他の人が障害物となる可能性もあり、必ず送信装置５０６からの信号を受けられるとは限らない。そのため信号の受信範囲を広げるために、他に送信信号装置の設置が必要となる。
【００２２】
ここで図１を参照して上記立体映像装置の液晶シャッタ眼鏡５００の制御システムについて説明する。送信装置１１０は制御しようとする項目に対応するコード信号を送信する送信装置であり、例えば左右の液晶シャッタの動作を駆動させる信号を送信する。なお、図1の送信装置１１０は図５の送信装置５０６に値する。
【００２３】
送信装置１１０より送られた信号を液晶シャッタ眼鏡１００の受信部１０１によって受信し、受信した信号をデコーダ部１０２によりデコードし、右眼と左眼のシャッタ動作の切り替え制御の信号を液晶シャッタ制御部１０５に送る。液晶シャッタ制御部１０５は受信した信号を基に、液晶シャッタの切り替えを行い、左右眼の液晶シャッタ部１０６を交互に透過と不透過をくりかえす。
【００２４】
同時に、受信部１０１で受信した右眼と左眼の液晶シャッタ動作の切り替えの信号を送信信号制御部１０３に送ることにより、同等の信号を送信装置１０４によって再度送信する。信号送信部１０４は送信装置１１０と同じように赤外線などによってコード化された信号を送信する。送信部１０４は、例えば液晶シャッタ眼鏡のテンプル部、図５の５０４など、に設けることにより、左右にある、液晶シャッタ眼鏡に液晶シャッタ駆動の信号を送信することが出来る。
【００２５】
なお、送信信号制御部１０３及び送信装置１０４から出力する切り替え信号については、受信部１０１で受けた信号をそのまま出力する場合にかぎらず、例えば、切り替え信号のタイミングを変更して出力することも可能である。
【００２６】
具体的には、第一の液晶シャッタ眼鏡が切り替え信号を時間ｔ１で受信し、第一の液晶シャッタ眼鏡を受信後、第二、第三の液晶シャッタに出力する間に所定の時間ｔ２が必要となる。この場合には、そのまま第第二、第三の液晶シャッタ眼鏡において処理を行うと時間ｔ１＋ｔ２のタイミングで第二、第三の液晶シャッタ眼鏡の開閉を行うこととなり、映像表示装置と同期のタイミングがずれることとなる。
【００２７】
従って、第一の液晶シャッタ眼鏡から第二、第三の液晶シャッタ眼鏡に出力する切り替え信号については、この時間ｔ２分を考慮して切り替え信号のタイミングを変換することが必要となる。具体的には、第二、第三の液晶シャッタ眼鏡においては、ｔ１−ｔ２のタイミングでシャッタ眼鏡の開閉を行うことが必要となる。
【００２８】
また、別の解決方法としては、送信装置１１０から第一の液晶シャッタ眼鏡に出力される切り替え信号のタイミングをｔ１＋ｔ２の時間間隔にしておき、さらに、映像表示装置についてもｔ１＋ｔ２のタイミングで左目用画像及び右目用画像の切り替えを行うことにより、第一から第３のいずれの液晶シャッタ眼鏡も同一のタイミングで開閉を行うことが可能になり、この同期の問題を解決することが可能になる。
【００２９】
かかる構成によれば、液晶シャッタ眼鏡１００に送信装置１１０と同等の送信部１０４を設けることにより、液晶シャッタ動作の切り替えの信号を第二、第三の液晶シャッタ眼鏡に送信することが可能となり、液晶シャッタ切り替え信号の受信範囲を広げることができる。
【００３０】
なお、本実施例において、液晶シャッタ眼鏡１００のテンプル部に信号送信部１０４を設けたが、眼鏡フレームなど、他の場所に設けても良い。
【００３１】
以上の構成により、本発明の立体映像再生システム用液晶シャッタ眼鏡によれば、第二、第三の液晶シャッタ眼鏡が特定の空間信号送信装置（例えば映像表示装置）から液晶シャッタの切り替え信号を受信できなくても、同様の液晶シャッタ切り替え信号を第一の液晶シャッタ眼鏡より受信することができるので、視聴場所による受信不具合を低減することができる。
【実施例２】
【００３２】
図２は、本発明の実施例２の液晶シャッタ眼鏡の主要構成ブロック図である。図２において、図１および図５の構成要素については同じ符号を用い、説明を省略する。
【００３３】
図２において、本発明は液晶シャッタ眼鏡に液晶シャッタの切り替えのタイミングを記憶する装置２０７と記憶したタイミングで液晶シャッタの切り替えを駆動させる信号を発生さえる自走回路２０８を備える。
【００３４】
送信装置１１０より送られた信号を液晶シャッタ眼鏡１００の受信部１０１によって受信し、受信した信号をデコーダ部１０２によりデコードし、右眼と左眼のシャッタ動作の切り替え制御の信号を液晶シャッタ制御部１０５に送る。液晶シャッタ制御部１０５は受信した信号を基に、液晶シャッタの切り替えを行い、左右眼の液晶シャッタ部１０６を交互に透過と不透過をくりかえす。
【００３５】
同時に、受信部１０１で受信した右眼と左眼の液晶シャッタ動作の切り替えの信号を液晶シャッタ切り替えタイミング記憶装置２０７により右眼と左眼の液晶シャッタ動作の切り替えの信号周期を記憶する。
【００３６】
受信部１０１で液晶シャッタ動作の切り替えの信号を受信していないと受信部１０１が感知した場合は、液晶シャッタ動作切り替えタイミング記憶装置２０７で記憶した液晶シャッタ切り替えのタイミングを基に自走回路２０８より、右眼と左眼のシャッタ動作の切り替え制御の信号を液晶シャッタ制御部１０５に送る。液晶シャッタ制御部１０５は受信した信号を基に、液晶シャッタの切り替えを行い、左右眼の液晶シャッタ部１０６を交互に透過と不透過を繰り返す。
【００３７】
また、受信部１０１が液晶シャッタ動作の切り替え信号を受信していないと感知した場合は、検知していないという信号を送信信号制御部１０３に送ることにより、送信信号制御部１０３と送信装置１０４の動作を休止させることにより、エネルギーの消費を抑えることが出来る。
【００３８】
かかる構成によれば、液晶シャッタ眼鏡１００に送信装置１１０に、液晶シャッタ切り替えタイミング記憶装置２０７と自走装置２０８を備えることにより、液晶シャッタ眼鏡１００が液晶シャッタ切り替えタイミング信号を受信できなくても、シャッタの切り替え動作を行うことが可能となる。
また、液晶シャッタ切り替え信号を受信していない場合は、液晶シャッタ切り替え信号の送信装置を休止させることにより、消費電力を抑えることが可能となる。
【実施例３】
【００３９】
図３は、本発明の実施例３の液晶シャッタ眼鏡の主要構成ブロック図である。図３において、図１および図５の構成要素については同じ符号を用い、説明を省略する。
【００４０】
図３において、本発明は液晶シャッタの切り替え信号の発生源を特定する信号源判別装置３０９を備える。
【００４１】
送信装置Ａ３２０と送信装置Ａ３２０とは異なる送信装置Ｂ３２１より送られた信号を、液晶シャッタ眼鏡１００の受信部１０１によって受信し、受信した信号をデコーダ部１０２によりデコードし、デコードした信号を信号源判別装置３０９により受信した信号の送信源を判別する。その際、信号の送信源を判別するために、送信装置Ａ３２０と送信装置Ｂ３２１は異なる信号やタイミングで送る必要がある。例えば、送信装置Ａ３２０から送られてくる信号にはＡという符号をつけ、送信装置Ｂ３２１から送られてくる信号にＢという符号を挿入する。Ａの信号送信時間を眼鏡シャッタの切り替えタイミング、例えばＴｓ、の半分以下に抑え、シャッタ切り替えのタイミングに併せてＡの信号を送信する。その後、切り替えタイミングＴｓの半分のとき、Ｔｓ／２の時、に送信装置Ｂ３２１の信号送信を行うことによりＡとＢが同時に受信部１０１に送られてくることが防げる。デコーダ部１０２は送られてきた信号の信号源情報、シャッタ切り替えタイミング情報をデコードし、その情報を基に右眼と左眼のシャッタ動作の切り替え制御の信号を液晶シャッタ制御部１０５に送る。液晶シャッタ制御部１０５は受信した信号を基に、液晶シャッタの切り替えを行い、左右眼の液晶シャッタ部１０６を交互に透過と不透過をくりかえす。
【００４２】
同時に、受信部１０１で受信した右眼と左眼の液晶シャッタ動作の切り替えの信号を送信信号制御部１０３に送ることにより、同等の信号を送信装置１０４によって再度送信する。信号送信部１０４は送信装置１１０と同じように赤外線などによってコード化された信号を送信する。送信部１０４は、例えば液晶シャッタ眼鏡のテンプル部、図５の５０４など、に設けることにより、左右にある、液晶シャッタ眼鏡に液晶シャッタ駆動の信号を送信することが出来る。
【００４３】
かかる構成によれば、液晶シャッタ眼鏡１００に送信装置１１０に、液晶シャッタ切り替えタイミング記憶装置２０７と自走装置２０８を備えることにより、液晶シャッタ眼鏡１００が液晶シャッタ切り替えタイミング信号を受信できなくても、シャッタの切り替え動作を行うことが可能となる。
また、液晶シャッタ切り替え信号を受信していない場合は、液晶シャッタ切り替え信号の送信装置を休止させることにより、消費電力を抑えることが可能となる。
【実施例４】
【００４４】
図４は、本発明の実施例４の液晶シャッタ眼鏡の主要構成ブロック図である。図４において、図１および図２、図３、図５の構成要素については同じ符号を用い、説明を省略する。
【００４５】
図４において、本発明は液晶シャッタの切り替え信号の発生源を特定する信号源判別装置３０９を備え、液晶シャッタ眼鏡に液晶シャッタの切り替えのタイミングを記憶する装置２０７と記憶したタイミングで液晶シャッタの切り替えを駆動させる信号を発生さえる自走回路２０８を備える。
【００４６】
実施例３と同様に、送信装置Ａ３２０と送信装置Ａ３２０とは異なる送信装置Ｂ３２１より送られた信号を液晶シャッタ眼鏡１００の受信部１０１によって受信し、受信した信号をデコーダ部１０２によりデコードし、信号源判別装置３０９により受信した信号の送信源を判別する。デコーダ部１０２は送られてきた信号の信号源情報、シャッタ切り替えタイミング情報をデコードし、その情報を基に右眼と左眼のシャッタ動作の切り替え制御の信号を液晶シャッタ制御部１０５に送る。液晶シャッタ制御部１０５は受信した信号を基に、液晶シャッタの切り替えを行い、左右眼の液晶シャッタ部１０６を交互に透過と不透過をくりかえす。
【００４７】
同時に、受信部１０１で受信した右眼と左眼の液晶シャッタ動作の切り替えの信号を液晶シャッタ切り替えタイミング記憶装置２０７により右眼と左眼の液晶シャッタ動作の切り替えの信号周期を記憶する。
【００４８】
受信部１０１で液晶シャッタ動作の切り替えの信号を受信していないと受信部１０１が感知した場合は、液晶シャッタ動作切り替えタイミング記憶装置２０７で記憶した液晶シャッタ切り替えのタイミングを基に自走回路２０８より、右眼と左眼のシャッタ動作の切り替え制御の信号を液晶シャッタ制御部１０５に送る。液晶シャッタ制御部１０５は受信した信号を基に、液晶シャッタの切り替えを行い、左右眼の液晶シャッタ部１０６を交互に透過と不透過を繰り返す。
【００４９】
また、受信部１０１が液晶シャッタ動作の切り替え信号を受信していないと感知した場合は、検知していないという信号を送信信号制御部１０３に送ることにより、送信信号制御部１０３と送信装置１０４の動作を休止させることにより、エネルギーの消費を抑えることが出来る。
【００５０】
かかる構成によれば、液晶シャッタ眼鏡１００に送信装置１１０に、液晶シャッタ切り替えタイミング記憶装置２０７と自走装置２０８を備えることにより、液晶シャッタ眼鏡１００が液晶シャッタ切り替えタイミング信号を受信できなくても、シャッタの切り替え動作を行うことが可能となる。
また、液晶シャッタ切り替え信号を受信していない場合は、液晶シャッタ切り替え信号の送信装置を休止させることにより、消費電力を抑えることが可能となる。
【産業上の利用可能性】
【００５１】
本発明にかかる立体映像用送受信装置は視聴者に液晶シャッタ眼鏡の駆動により、立体視を行わせる以外に、第二、第三の液晶シャッタ眼鏡にも液晶シャッタ駆動の同期信号を送信することにより、液晶シャッタの駆動の信号を広範囲に提供することが可能になるので、立体映像視聴装置等として有用である。
【符号の説明】
【００５２】
１０１    受信部
１０２    デコーダ
１０３    送信信号制御部
１０４    信号送信部
１０５    液晶シャッタ制御部
１０６    液晶シャッタ眼鏡
２０７    動作フィールド周波数検知・設定部
２０８    動作フィールド発生部
３０９    信号源判別部
３２０    外部 液晶シャッタ駆動信号送信装置Ａ
３２１    外部 液晶シャッタ駆動信号送信装置Ｂ
５０１    液晶シャッタ眼鏡
５０２    信号受信部
５０３    信号送信装置
５０４    信号送信部
５０５    立体映像表示装置
【図１】
2013168693.tif 000003
【図２】
2013168693.tif 000004
【図３】
2013168693.tif 000005
【図４】
2013168693.tif 000006
【図５】
2013168693.tif 000007